(57)【特許請求の範囲】
【請求項１】
複数の電線からなる電線群の縦通部分に沿って延びるプロテクタ本体を有し、前記プロテクタ本体の端部において前記電線群の前記縦通部分に連なって屈曲した前記電線群の屈曲部分を固定するワイヤハーネス用プロテクタであって、
前記プロテクタ本体の端部から前記電線群の前記屈曲部分に沿って突出し、かつ前記電線群の前記縦通部分に沿って延びる電線群固定部と、
前記電線群固定部の一側面から前記電線群の前記縦通部分および前記屈曲部分の双方に対して交差する方向に突出するバンド抜け止め部と、を備え、
前記電線群固定部に前記電線群の前記屈曲部分を結束バンドによりバンド巻き固定するよう構成したこと特徴とするワイヤハーネス用プロテクタ。
【請求項２】
前記プロテクタ本体の端部から前記電線群固定部の他側面に向き合うよう突出するスリット形成部を備え、前記スリット形成部と前記電線群固定部との間に前記結束バンドを挿入可能なスリット状の間隙を形成するよう構成したことを特徴とする請求項１に記載のワイヤハーネス用プロテクタ。
【発明の詳細な説明】
【技術分野】
【０００１】
本発明は、ワイヤハーネス用プロテクタに関する。
【背景技術】
【０００２】
従来、自動車に配索されるワイヤハーネスの構成要素である電線群を、結束バンドによって固定するワイヤハーネス用プロテクタが知られている（例えば、特許文献１参照）。図４は特許文献１に記載されたワイヤハーネス用プロテクタを示す。
【０００３】
図４において、ワイヤハーネス用プロテクタ１００は、プロテクタ本体１０１にガイド部１０２，１０３を一体に形成している。ガイド部１０２，１０３は、結束バンド１０４のバンド部１０４ａが挿通される孔１０２ａ，１０３ａを有している。結束バンド１０４は、バンド部１０４ａの一端部にバンド部１０４ａの他端部が係合するヘッド部１０４ｂを一体に形成している。
【０００４】
図示しない複数の電線からなる電線群は、結束バンド１０４によりワイヤハーネス用プロテクタ１００に固定されるようになっている。結束バンド１０４のバンド部１０４ａは、ガイド部１０２，１０３の孔１０２ａ，１０３ａに挿通されたうえ、電線群の周方向に巻き掛けられ、さらにヘッド部１０４ｂに係合している。これにより、電線群は、ワイヤハーネス用プロテクタ１００に結束バンド１０４によってバンド巻き固定されている。
【先行技術文献】
【特許文献】
【０００５】
【特許文献１】特開２００５−１７８８４７号公報
【発明の概要】
【発明が解決しようとする課題】
【０００６】
しかしながら、上述したワイヤハーネス用プロテクタ１００は、ワイヤハーネス用プロテクタ１００に電線群を固定するときに、ガイド部１０２，１０３の孔１０２ａ，１０３ａに結束バンド１０４のバンド部１０４ａを挿通するため、電線群を固定する作業を効率よく行うことができなかった。
【０００７】
さらに、プロテクタ本体１０１の端部で電線群を屈曲させて固定したいような場合は、結束バンド１０４からガイド部１０２，１０３に過大な力が作用して、ガイド部１０２，１０３が損傷することが懸念される。
【０００８】
本発明は、上述したような課題を解決するためになされたもので、電線群の屈曲部分を容易に、かつ確実に固定でき、固定強度を十分に確保できるワイヤハーネス用プロテクタを提供することを目的とする。
【課題を解決するための手段】
【０００９】
本発明に係るワイヤハーネス用プロテクタは、上記目的を達成するため、複数の電線からなる電線群の縦通部分に沿って延びるプロテクタ本体を有し、前記プロテクタ本体の端部において前記電線群の前記縦通部分に連なって屈曲した前記電線群の屈曲部分を固定するワイヤハーネス用プロテクタであって、前記プロテクタ本体の端部から前記電線群の前記屈曲部分に沿って突出し、かつ前記電線群の前記縦通部分に沿って延びる電線群固定部と、前記電線群固定部の一側面から前記電線群の前記縦通部分および前記屈曲部分の双方に対して交差する方向に突出するバンド抜け止め部と、を備え、前記電線群固定部に前記電線群の前記屈曲部分を結束バンドによりバンド巻き固定するよう構成している。
【００１０】
この構成により、本発明に係るワイヤハーネス用プロテクタは、プロテクタ本体の端部から電線群の屈曲部分に沿って突出し、かつ前記電線群の前記縦通部分に沿って延びる電線群固定部に、電線群の屈曲部分を結束バンドによりバンド巻き固定するため、電線群の屈曲部分を容易に固定でき、固定強度を十分に確保できる。
【００１１】
また、本発明に係るワイヤハーネス用プロテクタは、電線群固定部の一側面から前記電線群の前記縦通部分および前記屈曲部分の双方に対して交差する方向に突出するバンド抜け止め部を備えているため、電線群が引っ張られたり曲げられたりしても、電線群固定部から結束バンドが抜けてしまうことがなく、電線群の屈曲部分を確実に固定できる。
【００１２】
また、上述した構成のワイヤハーネス用プロテクタにおいて、前記プロテクタ本体の端部から前記電線群固定部の他側面に向き合うよう突出するスリット形成部を備え、前記スリット形成部と前記電線群固定部との間に前記結束バンドを挿入可能なスリット状の間隙が形成されるよう構成することが好ましい。
【００１３】
この構成により、本発明に係るワイヤハーネス用プロテクタは、スリット形成部と電線群固定部との間に形成されたスリット状の間隙に結束バンドを挿入するため、電線群固定部に電線群の屈曲部分をバンド巻き固定する結束バンドの位置を容易に定めることができる。
【発明の効果】
【００１４】
本発明によれば、電線群の屈曲部分を容易に、かつ確実に固定でき、固定強度を十分に確保できるワイヤハーネス用プロテクタを提供することができる。
【図面の簡単な説明】
【００１５】
【図１】本発明の実施の形態に係るワイヤハーネス用プロテクタにおいて電線群固定部に電線群の屈曲部分を固定した状態を示す部分斜視図である。
【図２】本発明の実施の形態に係るワイヤハーネス用プロテクタにおいて電線群固定部に電線群の屈曲部分を固定した状態を示す水平断面図である。
【図３】本発明の実施の形態に係るワイヤハーネス用プロテクタにおいて電線群を装着する前の状態を示す部分斜視図である。
【図４】従来のワイヤハーネス用プロテクタの部分斜視図である。
【発明を実施するための形態】
【００１６】
以下、本発明の実施の形態に係るワイヤハーネス用プロテクタについて、図面を参照して説明する。
【００１７】
図１、図２に示すように、本実施の形態に係るワイヤハーネス用プロテクタ１０は、複数の電線２１からなる電線群２０の縦通部分２０ａに沿って延びるプロテクタ本体３０を有し、プロテクタ本体３０の長手方向端部３０ａにおいて電線群２０の縦通部分２０ａに連なって屈曲した前記電線群２０の屈曲部分２０ｂを固定するものである。
【００１８】
ワイヤハーネス用プロテクタ１０は、プロテクタ本体３０の長手方向端部３０ａから電線群２０の屈曲部分２０ｂに沿って突出し、かつプロテクタ本体長手方向Ｘに延びる電線群固定部３１と、電線群固定部３１の一側面３１ａからプロテクタ本体幅方向Ｙに突出するバンド抜け止め部３２と、を備え、電線群固定部３１に電線群２０の屈曲部分２０ｂを結束バンド４０によりバンド巻き固定するよう構成されている。
【００１９】
電線群２０は、縦通部分２０ａが略水平に延びるとともに、縦通部分２０ａに連なる屈曲部分２０ｂが上方に向けて略垂直に延びている。また、縦通部分２０ａは、プロテクタ本体３０によって上側から覆われている。電線群２０は、複数の電線２１を粘着テープにより荒巻きして束ねたもので、自動車に搭載された電子機器を電気的に接続するようになっている。この電線群２０は、複数の電線２１をコルゲートチューブに内装したものでもよい。
【００２０】
図３に示すように、電線群固定部３１は、プロテクタ本体３０の長手方向端部３０ａから電線群２０の屈曲部分２０ｂに沿って上向きに突出し、かつプロテクタ本体長手方向Ｘ、すなわち、電線群２０の縦通部分２０ａに沿って延びるよう形成されている。これにより、電線群固定部３１は、プロテクタ本体長手方向Ｘが長辺となり、プロテクタ本体幅方向Ｙが短辺となる矩形の水平断面形状を有している（図２参照）。
【００２１】
バンド抜け止め部３２は、電線群固定部３１の一側面３１ａからプロテクタ本体幅方向Ｙ、すなわち、電線群２０の縦通部分２０ａの軸線および屈曲部分２０ｂの軸線に対して直交する方向に突出するよう形成されている。これにより、バンド抜け止め部３２は、プロテクタ本体３０の長手方向端部３０ａを上側から覆っている。
【００２２】
さらに、ワイヤハーネス用プロテクタ１０は、プロテクタ本体３０の長手方向端部３０ａから電線群固定部３１の他側面３１ｂに向き合うよう突出するスリット形成部３３を備え、スリット形成部３３と電線群固定部３１との間に結束バンド４０を挿入可能なスリット状の間隙３３ａを形成するよう構成されている。
【００２３】
スリット形成部３３は、プロテクタ本体３０の長手方向端部３０ａから電線群２０の屈曲部分２０ｂに沿って上向きに突出し、かつプロテクタ本体長手方向Ｘ、すなわち、電線群２０の縦通部分２０ａに沿って延びるよう形成されている。これにより、スリット形成部３３は、プロテクタ本体長手方向Ｘが長辺となり、プロテクタ本体方向Ｙが短辺となる矩形の水平断面形状を有している（図２参照）。
【００２４】
結束バンド４０は、バンド部４０ａの一端部にバンド部４０ａの他端部が挿入されるヘッド部４０ｂを一体に形成したものである。結束バンド４０は、バンド部４０ａの一側面にセレーション加工が施されており、バンド部４０ａの他端部をヘッド部４０ｂに挿入すると、セレーション部分がヘッド部４０ｂの内部の爪に係合するようになっている。この結束バンド４０は、バンド部４０ａがスリット形成部３３と電線群固定部３１との間隙３３ａに、上側から挿入されている。
【００２５】
結束バンド４０は、バンド部４０ａがバンド抜け止め部３２の下面部とプロテクタ本体３０の上面部との間に入り込むとともに、電線群２０の屈曲部分２０ｂおよび電線群固定部３１を取り囲むように略水平に巻き掛けられ、ヘッド部４０ｂにバンド部４０ａの他端部が係合している。これにより、電線群２０の屈曲部分２０ｂは、ワイヤハーネス用プロテクタ１０の電線群固定部３１に結束バンド４０によってバンド巻き固定されている。
【００２６】
本実施の形態に係るワイヤハーネス用プロテクタ１０は、プロテクタ本体３０の長手方向端部３０ａから電線群２０の屈曲部分２０ｂに沿って突出し、かつプロテクタ本体長手方向Ｘに延びる電線群固定部３１に、電線群２０の屈曲部分２０ｂを結束バンド４０によりバンド巻き固定するため、電線群２０の屈曲部分２０ｂを容易に固定でき、固定強度を十分に確保できる。
【００２７】
また、本実施の形態に係るワイヤハーネス用プロテクタ１０は、電線群固定部３１の一側面３１ａからプロテクタ本体幅方向Ｙに突出するバンド抜け止め部３２を備えているため、電線群２０が引っ張られたり曲げられたりしても、電線群固定部３１から結束バンド４０が抜けてしまうことがなく、電線群２０の屈曲部分２０ｂを確実に固定できる。
【００２８】
また、本実施の形態に係るワイヤハーネス用プロテクタ１０は、スリット形成部３３と電線群固定部３１との間に形成されたスリット状の間隙３３ａに結束バンド４０を挿入するため、電線群固定部３１に電線群２０の屈曲部分２０ｂをバンド巻き固定する結束バンド４０の位置を容易に定めることができる。
【００２９】
特に、本実施の形態に係るワイヤハーネス用プロテクタ１０は、電線群２０の屈曲部分２０ｂを固定する工程において、孔に結束バンド４０のバンド部４０ａを挿通することがないため、電線群２０の屈曲部分２０ｂを固定する作業を効率よく行うことができる。
【００３０】
本実施の形態に係るワイヤハーネス用プロテクタ１０は、スリット形成部３３と電線群固定部３１との間に形成されるスリット状の間隙３３ａのプロテクタ本体幅方向Ｙの寸法を均一にしているが、間隙３３ａのプロテクタ本体幅方向Ｙの寸法は、電線群２０側に近付くほど広くなるようにしてもよい。
【００３１】
また、電線群固定部３１の片面側（図２の左側）に複数のスリット状の間隙が形成されるようスリット形成部を複数設けてもよい。固定の対象となる電線群２０の屈曲部分２０ｂが太い場合は、複数のスリット形成部のうち、電線群固定部３１に近いものが電線群固定機能を併有することになる。
【００３２】
以上説明したように、本発明にワイヤハーネス用プロテクタは、電線群の屈曲部分を容易に、かつ確実に固定でき、固定強度を十分に確保できるという効果が得られるので、ワイヤハーネス用プロテクタ全般に有用である。
【符号の説明】
【００３３】
１０  ワイヤハーネス用プロテクタ
２０  電線群
２０ａ  縦通部分
２０ｂ  屈曲部分
２１  電線
３０  プロテクタ本体
３０ａ  長手方向端部
３１  電線群固定部
３１ａ  一側面
３１ｂ  他側面
３２  バンド抜け止め部
３３  スリット形成部
３３ａ  間隙
４０  結束バンド
Ｘ  プロテクタ本体長手方向
Ｙ  プロテクタ本体幅方向
【図１】
0006299508.tif 000002
【図２】
0006299508.tif 000003
【図３】
0006299508.tif 000004
【図４】
0006299508.tif 000005